(57)【要約】【課題】本考案はイカヅノ投入及び収納作業が両手で確実に行え、糸の絡みが殆んどなく、且つ、イカを外しながらイカヅノを筒体に順次収納することが素早く行えるものとなるため、従来よりもイカヅノ投入回数を多く行えると共にイカの捕獲量の向上が可能となるイカヅノ投入器を提供することを目的とする。【解決手段】縦幅ｈの下部一端を傾斜面11に形成した取付基台１に、多数本の筒体２を、２列で千鳥状に配列すると共に上段列の筒体２の先端位置が下段列の筒体の先端位置よりも後方へずらして装着させ、且つ、取付基台１には、傾斜面11と対向する締付ネジ32が備えられた取付基台固定手段３を設け、更に筒体２の開口側には糸絡み防止用の切溝21を形成する構成と成す。また取付基台１に筒体長さ調節手段を設けるものとしても良い。【選択図】図１
0003170284.tif 000002
【実用新案登録請求の範囲】
【請求項１】
縦幅（ｈ）の下部一端を傾斜面（11）に形成した取付基台（１）に、多数本の筒体（２）を、２列で千鳥状に配列すると共に上段列の筒体（２）の先端位置が下段列の筒体（２）の先端位置よりも後方へずらして装着させ、且つ、前記取付基台（１）には、前記傾斜面（11）と対向する締付ネジ（32）が備えられた取付基台固定手段（３）を設け、更に前記筒体（２）の開口側には糸絡み防止用の切溝（21）を形成したことを特徴とするイカヅノ投入器。
【請求項２】
前記上段列の筒体（２）が軸方向へ移動可能に装着する筒体長さ調節手段（４）を設け、該筒体長さ調節手段（４）が、前記取付基台（１）の上部側を上段列の筒体（２）の太さ方向に対して略上半分から分離可能とした押圧挟持片（41）と、該押圧挟持片（41）を前記取付基台（１）側に取付けるための締結部材（42）とから少なくとも成した請求項１記載のイカヅノ投入器。
【請求項３】
前記筒体（２）の切溝（21）が、開口部に設けた切欠部（21a）と、該切欠部（21a）から下方に向かう長尺な溝部（21b）とから成された請求項１記載のイカヅノ投入器。
【考案の詳細な説明】
【技術分野】
【０００１】
本考案は船縁に固定して使用するイカヅノ投入器に関する。
【背景技術】
【０００２】
従来、イカヅノ投入器として、約１メートル近い長尺な複数本の筒体を列設させ、それぞれの筒体に１本ずつイカヅノを差し込んで使用するものが市販されている。これを使用する時に、船縁に立て掛けて使用すると長い筒体が斜めに設置されるため、船の通路側にはみ出した分だけ通路が狭くなり、歩きにくい状態となっていた。また前記筒体にイカヅノを収納する際に、糸も深く入れるため、海に投入する時に、糸とイカヅノが絡まり易く、スムーズに投入できないこともあった。又、イカヅノ投入器全体を船縁に載せて取付けるタイプのものもあるが、これは筒体の入口が上方に高くなり、イカヅノを筒体に入れにくい欠点があった。更に船縁に取付けるタイプのものは、イカを取り込む際に筒体が邪魔になっていた。
【０００３】
一方、短い筒体を列設させたイカヅノ投入器としては、実開平６−８６４８４号がある。この構造はイカヅノよりも長いツノ収納部を本体上部に多数列設させ、各ツノ収納部から糸が突出しないように溝をそれぞれ穿設し、本体にはツノ収納部の開口側へ糸が出る方向に糸掛部を複数設け、且つ本体の下方にはバンド状の指掛を取付けて構成したものである。これは携帯用のイカヅノ投入器である。
【０００４】
又、短い筒体を用いた他のイカヅノ投入器としては、実用新案登録番号３０１０６０９号がある。これは１つだけの筒体を用い、且つ、筒体の側面にイカヅノの枝の部分を外に出すための切溝を設けた構造である。このイカヅノの収納方法は、切溝にイカヅノの針部分を釣竿側のものから順番に差し込み、１本の筒体に複数のイカヅノの針部分を収納させ、イカヅノの本体側は切溝から出て複数本並ぶものである。
【０００５】
しかしながら実開平６−８６４８４号は、両手を使わなければならず、且つ、イカヅノの投入後、指掛から外してイカヅノ投入器をかがんで適宜場所に置かなければならないと共に、次にイカヅノをツノ収納部に収納する際は、イカヅノ投入器を指掛に取付けた後、イカヅノをツノ収納部に順次収納するが、この時、イカを外しながらツノ収納部に順次イカヅノを収納することが片手だけではできず、イカヅノ投入器を持ちながら行うため、面倒であり、片手が不自由な人には前記イカヅノ投入器が使えないものであった。またイカヅノの投入時、イカヅノ投入器を手で持って海に向けるため、手の持つ角度によっては、糸の絡みを生じる恐れがあった。
【０００６】
また実用新案登録番号３０１０６０９号は、投入する毎にイカヅノの針部分が筒体内部を引掻く結果となるため、筒体が合成樹脂製の場合には、筒体内部に傷が付き、投入時にイカヅノの針部分が引掛かり易くなり、スムーズにイカヅノが海に投入できなくなる恐れがあると共に結び目が隣り合っているため、糸の絡みが極めて生じ易いものとなる。又、筒体が金属製の場合には、イカヅノの針部分が投入する毎に摩耗して針先が丸くなり、イカの捕獲が困難になる恐れを生じるものとなっていた。
【先行技術文献】
【特許文献】
【０００７】
【特許文献１】実開平６−８６４８４号公報
【特許文献２】実用新案登録番号３０１０６０９号公報
【考案の概要】
【考案が解決しようとする課題】
【０００８】
本考案はイカヅノ投入及び収納作業が両手で確実に行え、糸の絡みが殆んどなく、且つ、イカを外しながらイカヅノを筒体に順次収納することが素早く行えるものとなるため、従来よりもイカヅノ投入回数を多く行えると共にイカの捕獲量の向上が可能となるイカヅノ投入器を提供することを目的とする。
【課題を解決するための手段】
【０００９】
本考案は上記現状に鑑み成されたものであり、つまり、縦幅の下部一端を傾斜面に形成した取付基台に、多数本の筒体を、２列で千鳥状に配列すると共に上段列の筒体の先端位置が下段列の筒体の先端位置よりも後方へずらして装着させ、且つ、取付基台には、傾斜面と対向する締付ネジが備えられた取付基台固定手段を設け、更に筒体の開口側には糸絡み防止用の切溝を形成する構成と成す。また上段列の筒体を軸方向へ移動可能に装着する筒体長さ調節手段が設けられ、該筒体長さ調節手段として、取付基台の上部側を上段列の筒体の太さ方向に対して略上半分から分離可能とした押圧挟持片と、該押圧挟持片を取付基台側に取付けるための締結部材とから少なくとも成すと良く、筒体の切溝を、開口部に設けた切欠部と、該切欠部から下方に向かう長尺な溝部とから成されたものとするのが好ましい。尚、本考案で言う「上段列の筒体の太さ方向に対して略上半分から分離」とは、図４に示すように取付基台の上段列に穿設した貫通穴の略中央部より上半分から分離出来ることを指すものとする。
【考案の効果】
【００１０】
請求項１のように縦幅（ｈ）の下部一端を傾斜面（11）に形成することにより、多数本の筒体（２）を傾斜面（11）と直角に装着することが出来るため、イカヅノ（６）が筒体（２）から飛び出し易く且つ遠くへ飛ばし易くなる。また多数本の筒体（２）を２列で千鳥状に配列し、且つ、上段列の筒体（２）の先端位置が下段列の筒体（２）の先端位置よりも後方へずらして装着させると共に筒体（２）の開口側に糸絡み防止用の切溝（21）を形成することにより、枝糸の結び目が切溝（21）の外側に来るようにイカヅノ（６）を収納することができ、結び目が段違いにずれるため、糸の絡む恐れが少なくなり、イカヅノ（６）が筒体（２）から順次飛び出てイカヅノ（６）の投入がスムーズに行えるものとなる。又、傾斜面（11）と対向する締付ネジ（32）が備えられた取付基台固定手段（３）を取付基台（１）に設けることにより、イカヅノ（６）が筒体（２）から飛び出し易い位置に固定することが出来るため、イカヅノ（６）の投入が良好に行えると共にイカヅノ（６）の収納作業は道糸を片手で持ち、他方の手でイカヅノ（６）を筒体（２）に入れ、確実な収納が行えるものとなる。更に筒体（２）を２列にすることにより、横方向の長さを短くすることが可能となり、全体がコンパクトになるため、持ち運びが便利であると共に船縁（５）に取付ける際、従来よりも多くのイカヅノ投入器を設置させることが出来るものとなる。このように本考案はイカヅノ（６）の投入及び収納作業が両手で行え、糸の絡みが殆んどなく、且つ、イカを外しながらイカヅノ（６）を筒体（２）に順次収納することが容易にできるものとなるため、従来よりもイカヅノ投入回数を多く行えると共にイカの捕獲量の向上が可能なものとなる。
【００１１】
請求項２のように上段列の筒体（２）が軸方向へ移動可能に装着する筒体長さ調節手段（４）を設け、該筒体長さ調節手段（４）が、取付基台（１）の上部側を上段列の筒体（２）の太さ方向に対して略上半分から分離可能とした押圧挟持片（41）と、該押圧挟持片（41）を取付基台（１）側に取付けるための締結部材（42）とから少なくとも成すことにより、イカヅノ（６）を筒体（２）に収納した時に生じる道糸のたるみ長さを調節することが可能となるため、イカヅノ（６）の長さや枝糸及び道糸の長さの変化に対応させて、糸の絡みが生じにくいようにセットすることが可能なものとなる。
【００１２】
請求項３に示すように筒体（２）の切溝（21）が、開口部に設けた切欠部（21a）と、該切欠部（21a）から下方に向かう長尺な溝部（21b）とから成されることにより、枝糸の結び目が溝部（21b）の外側にセットできると共にイカヅノ（６）がスムーズに海面へ投入できるものとなる。また切溝（21）に切欠部（21a）が設けられることにより、枝糸が筒体（２）の溝部（21b）に入れ易いものとなる。
【図面の簡単な説明】
【００１３】
【図１】本考案の実施形態を示す断面図である。
【図２】本実施形態の正面を示す説明図である。
【図３】本実施形態の取付基台の断面を示す説明図である。
【図４】本実施形態の取付基台に筒体長さ調節手段を設けた断面を示す説明図である。
【図５】本実施形態の筒体を示す説明図である。
【図６】本考案の使用状態を示す説明図である。
【考案を実施するための形態】
【００１４】
本考案の実施形態を図１、図２に基づいて説明する。（１)は縦幅（ｈ）の下部一端を傾斜面（11）に形成した合成樹脂製或いは金属製の取付基台であり、該取付基台（１）には、図３に示すように、後述する筒体（２）を挿入して装着する貫通穴（12）が複数穿設されていると共に後述する取付基台固定手段（３）のフレーム（31）を取付ける取付穴（13）が穿設されている。また前記取付基台（１）の上部両側を図３に示すようにカットしておくと良い。更に前記傾斜面（11）の角度としては、３０度〜６０度前後とするのが良く、好ましくは５０度前後である。
【００１５】
（２）は取付基台（１）の貫通穴（12）に挿入して装着する合成樹脂製或いは金属製の筒体であり、該筒体（２）の開口側には糸絡み防止用の切溝（21）が形成されており、その切溝（21）には、開口部に設けた切欠部（21a）と、該切欠部（21a）から下方に向かう長尺な溝部（21b）とがあり（図２、図５参照）、前記切欠部（21a）の角度（θ）としては、６０度〜１２０度前後が良いが、好ましくは９０度前後である。また前記溝部（21b）の幅としては３ミリメートル前後とするのが好ましく、開口側の幅を１ミリメートル大きくしたテーパーを付けると良い。尚、前記溝部（21b）の幅は、枝糸を道糸に結び付けた結び目が筒体（２）の内部に入らない広さとする。更に前記切溝（21）の長さは、筒体（２）の全長の約１／３〜１／２の範囲とするのが好ましい。又、筒体（２）の開口側と反対側端部には、図５に示すように水抜き用の穴（22a）を有した蓋（22）が取付けられている。前記筒体（２）を取付基台（１）の貫通穴（12）に挿入して装着すると、２列で千鳥状に配列されると共に上段列の筒体（２）の先端位置が下段列の筒体（２）の先端位置よりも後方へずらして装着させると共に、図２に示すように切溝（21）を下側に来るように装着する。尚、前記筒体（２）の長さとしては、２８０ミリメートル前後が好ましいが、この長さに限定されるものではない。
【００１６】
（３）は取付基台（１）を船縁（５）に固定させるための合成樹脂製或いは金属製の取付基台固定手段であり、該取付基台固定手段（３）には、取付基台（１）の取付穴（13）に一端を取付けると共に後述する締付ネジ（32）を支持するためのフレーム（31）と、傾斜面（11）と対向する押え板（32a）を有した締付ネジ（32）とがある。前記フレーム（31）は上端を取付穴（13）に取付けるものに限定されず、例えば板状のものを用い、その上部を取付基台（１）に固定するようにしても良い。尚、前記取付基台固定手段（３）は、取付基台（１）が船縁（５）に固定出来る構造のものであれば良く、上記構造に限定されるものではない。
【００１７】
図４は本実施形態の取付基台（１）に筒体長さ調節手段（４）が設けられた図であり、この筒体長さ調節手段（４）の役目は、上段列の筒体（２）の先端位置から下段列の筒体（２）の先端位置を任意にずらして、筒体（２）にイカヅノ（６）を収納させた時に、道糸のたるみを調節し、イカヅノ（６）の投入時の糸の絡みを最小限に防止させるためのものである。この筒体長さ調節手段（４）の構造は、図４に示すように矩形状の取付基台（１）の上段列に穿設した貫通穴（12）の略中央部より上半分から分離可能とした押圧挟持片（41）と、該押圧挟持片（41）の両側に設けた締結部材（42）とから成されている。この時の取付基台（１）側には締結部材（42）が螺合されるためのネジ穴を穿設し、押圧挟持片（41）の両側には六角穴付きボルトである締結部材（42）が挿入される段付き穴が穿設されている。尚、締結部材（42）用の穴は、段付き穴ではなく、単なる挿入穴とし、蝶ネジなどを用いても良い。
【００１８】
次に本考案の使用方法について説明する。予め取付基台（１）の貫通穴（12）に筒体（２）を挿入して下段列の筒体（２）の先端を揃えておく。そして上段列の筒体（２）の先端位置を下段列の筒体（２）の先端位置よりも後方へずらして装着させておく。この時、筒体（２）にイカヅノ（６）を収納させた時に、道糸のたるみを確認し、イカヅノ（６）の投入時の糸の絡みが発生しないように微調節しておく。また図２に示すように切溝（21）が下側に来るように装着する。必要に応じて接着剤で筒体（２）を取付基台（１）に固定しておくと良い。
【００１９】
その後、本考案品を船縁（５）に固定させる。この場合、取付基台（１）の傾斜面（11）を船縁（５）の上面に当てる。すると傾斜面（11）の角度だけ筒体（２）全体が傾斜するものとなる。尚、前記筒体（２）が傾斜すると、イカヅノ（６）を筒体（２）に入れる際に、イカヅノ（６）が筒体（２）の内壁に沿って滑って行くものとなる。次に締付ネジ（32）を回転して押え板（32a）が船縁（５）の裏面に当接され、更に締め付けて固定するのである。そして各筒体（２）へ順番にイカヅノ（６）を収納させる。この時の順番としては、図３に示す貫通穴（12）内に記載したＡ〜Ｇの順にイカヅノ（６）をセットして行くのが良い。これでイカ釣りの下準備は完了する。
【００２０】
イカ釣りを行う場合は、先ず、図示しないリールをフリーにし、図示しない錘を斜め前方の海面に向って思い切り投げ込む。すると錘の勢いで道糸が引張られるので、道糸と共にイカヅノ（６）が筒体（２）から順次飛び出て海面に投入される。この時、枝糸の結び目は切溝（21）の外側にあり、順次イカヅノ（６）が筒体（２）から飛び出る際には結び目が、隣の道糸のたるみに引掛かることなくスムーズにイカヅノ（６）の投入が行えるのである。この場合、イカヅノ（６）がより遠くへ飛び出せるので、イカヅノ（６）が船縁（５）に引掛からずに確実に海面へ投入できる。
【００２１】
イカを釣り上げる際は、道糸を巻き取りながら、イカをイカヅノ（６）から外すと共に直ぐにそのイカヅノ（６）を筒体（２）に入れることが簡単にできる。この時、枝糸の結び目が切溝（21）に来るようにイカヅノ（６）を筒体（２）に収納する。このイカヅノ（６）を筒体（２）に入れる順序は、端から下、上、下と繰返して最後まで入れれば良い。これで次のイカヅノ（６）の投入準備が簡単に完了するのである。
【００２２】
尚、イカヅノ（６）を投入した際に道糸が絡みそうな筒体（２）があった場合には、筒体（２）の出具合、つまり、取付基台（１）からの出具合を調節する。この場合は、筒体（２）を強制的に移動することも可能であるが、図４に示す如く筒体長さ調節手段（４）が設けられている場合には、両側の締結部材（42）を少し弛めれば、容易に筒体（２）の出具合が調節出来るものとなるため、適宜位置に筒体（２）を調節し直し、締結部材（42）を締め込めば良い。
【００２３】
このように本考案品を船縁（５）に固定させ使用することにより、船の通路側にはみ出すことがないので、従来の如き通路が狭くなる恐れがなくなる。又、イカヅノ（６）が筒体（２）から飛び出し易く角度に傾斜されて固定していると共に上段列の筒体（２）の先端位置を下段列の筒体（２）の先端位置よりも後方へずらして装着させているため、両手が使え、イカをイカヅノ（６）から外して直ぐにそのイカヅノ（６）を筒体（２）に入れて収納することが簡単にできるものとなり、イカヅノ（６）の投入回数をより多く行えるものとなるのである。
【符号の説明】
【００２４】
１  取付基台
11  傾斜面
２  筒体
21  切溝
21a  切欠部
21b  溝部
３  取付基台固定手段
32  締付ネジ
４  筒体長さ調節手段
41  押圧挟持片
42  締結部材
ｈ  縦幅
【図１】
0003170284.tif 000003
【図２】
0003170284.tif 000004
【図３】
0003170284.tif 000005
【図４】
0003170284.tif 000006
【図５】
0003170284.tif 000007
【図６】
0003170284.tif 000008